(57)【特許請求の範囲】
【請求項１】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記左胴部支持部および前記右胴部支持部のそれぞれの前後方向長さは、前記載置本体部の前後方向長さよりも短く、
前記左胴部支持部は前記ペットの左前足と左後ろ足との間に配置され、前記右胴部支持部は前記ペットの右前足と右後ろ足との間に配置される、ペット用姿勢保持台。
【請求項２】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記載置本体部の左側面に前後方向に延びる左本体部面ファスナが設けられ、
前記載置本体部の右側面に前後方向に延びる右本体部面ファスナが設けられ、
前記左胴部支持部の右側面に、前記左本体部面ファスナに係合する左支持部面ファスナが設けられ、
前記右胴部支持部の左側面に、前記右本体部面ファスナに係合する右支持部面ファスナが設けられた、ペット用姿勢保持台。
【請求項３】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記左胴部支持部と前記右胴部支持部とを連結する連結部をさらに備え、
前記連結部は、前記載置本体部の上に配置された、ペット用姿勢保持台。
【請求項４】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記載置本体部の左部に前後方向に位置調整可能にかつ着脱自在に設けられ、少なくとも上下方向に伸縮性を有する袋状の左カバー部と、
前記載置本体部の右部に前後方向に位置調整可能にかつ着脱自在に設けられ、少なくとも上下方向に伸縮性を有する袋状の右カバー部と、
前記左カバー部と前記右カバー部とを連結するカバー連結部と、をさらに備え、
前記左胴部支持部は、前記左カバー部に挿入されることにより前記載置本体部の左部に対して間接的に位置調整可能にかつ着脱自在に設けられ、
前記右胴部支持部は、前記右カバー部に挿入されることにより前記載置本体部の右部に対して間接的に位置調整可能にかつ着脱自在に設けられた、ペット用姿勢保持台。
【請求項５】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記頭部載置部の下面に対して着脱自在に設けられる第１スペーサと、
前記第１スペーサに対して着脱自在に設けられ、かつ、前記載置本体部の下面に対して着脱自在に設けられる第１部分、前記左胴部支持部の下面に対して着脱自在に設けられる第２部分、および前記右胴部支持部の下面に対して着脱自在に設けられる第３部分を有する第２スペーサと、をさらに備えた、ペット用姿勢保持台。
【請求項６】
前記第１スペーサの上面および前記第２スペーサの上面には、それぞれ滑り止め加工が施されている、請求項５に記載のペット用姿勢保持台。
【請求項７】
ペットの胴部および臀部がそれぞれ載置され、前記ペットの左前足と右前足との間に配置される前端部と前記ペットの左後ろ足と右後ろ足との間に配置される後端部とを有する縦長状の載置本体部と、
前記ペットの頭部が載置される頭部載置部と、
前記頭部載置部よりも後方に配置され、前記ペットの左胴部を支持し、前記載置本体部の左部に前後方向に位置調整可能にかつ着脱自在に設けられた左胴部支持部と、
前記頭部載置部よりも後方に配置され、前記ペットの右胴部を支持し、前記載置本体部の右部に前後方向に位置調整可能にかつ着脱自在に設けられた右胴部支持部と、を備え、
前記左胴部支持部の上端は前記載置本体部の上端よりも上方に位置し、前記右胴部支持部の上端は前記載置本体部の上端よりも上方に位置し、
前記左胴部支持部は、袋状の左カバー部材と、前記左カバー部材内に充填された高反発材料と、前記高反発材料よりも低い反発性を有し、前記左カバー部材内の前記高反発材料よりも前記載置本体部に近い領域に充填された低反発材料とを備え、
前記右胴部支持部は、袋状の右カバー部材と、前記右カバー部材内に充填された高反発材料と、前記高反発材料よりも低い反発性を有し、前記右カバー部材内の前記高反発材料よりも前記載置本体部に近い領域に充填された低反発材料とを備えた、ペット用姿勢保持台。
【請求項８】
前記左胴部支持部と前記右胴部支持部とを連結する連結部をさらに備えた、請求項１、２、５、および７のいずれか１項に記載のペット用姿勢保持台。
【請求項９】
前記頭部載置部は、前記載置本体部の前端部に着脱自在に設けられている、請求項１〜８のいずれか１項に記載のペット用姿勢保持台。
【請求項１０】
前記頭部載置部は、左右方向の長さが前記載置本体部の左右方向の最長長さよりも長い部分を有している、請求項１〜９のいずれか１項に記載のペット用姿勢保持台。
【請求項１１】
前記頭部載置部の上面および前記載置本体部の上面に載置されるクッション材をさらに備えた、請求項１〜１０のいずれか１項に記載のペット用姿勢保持台。
【発明の詳細な説明】
【技術分野】
【０００１】
本発明は、犬などのペットに用いられるペット用姿勢保持台に関する。
【背景技術】
【０００２】
老齢、疾病あるいは怪我等によって歩行活動ができないペットの介護用品が各種提案されている。ペットが老齢等で寝たきり状態になると、視界が制限され、無気力な状態に陥り易くなる。例えば、特許文献１には、ペットを立位の状態で保持する動物介護用移動式ベッドが開示されている。また、例えば特許文献２にも、ペットを立位の状態で保持する動物介護用ベッドが開示されている。
【先行技術文献】
【特許文献】
【０００３】
【特許文献１】特開２００７−０７５０３５号公報
【特許文献２】登録実用新案第３１４１８３６号公報
【発明の概要】
【発明が解決しようとする課題】
【０００４】
しかしながら、上記特許文献１の技術では、保護部の前部によってペット頭部の側部が覆われるため、視界が狭くなり、ペットが拘束されている気分に陥る恐れがある。食事も摂り辛い。また、上記保護部の後部によってペット胴部が覆われる構成となっているため、ペットの種々の体格に対応することが難しい。さらに、上記保護部にはペットの左右前足を挿通させる一定の大きさの孔部が形成されているが、前記と同様に、ペットの種々の体格に対応することは難しい。ペットを保持する際にペットが大きく動いたり暴れると、ペット胴部を保護部で覆う作業およびペット前足を孔部に挿通させる作業等が難航する場合もある。上記特許文献２の技術では、マットの窪みにペットの体がしっかり固定されるため、ペットが拘束された気分に陥る恐れがある。また、上記マットはペットの個体差に応じて数種類作製しなければならない。
【０００５】
本発明はかかる点に鑑みてなされたものであり、その目的は、ペットに対する拘束感や不安感を抑えつつ、種々の体格のペットを容易に保持させることができるペット用姿勢保持台を提供することである。
【課題を解決するための手段】
【０００６】
本発明に係るペット用姿勢保持台は、ペットの胴部および臀部がそれぞれ載置され、前記ペットの左前足と右前足との間に配置される前端部と前記ペットの左後ろ足と右後ろ足との間に配置される後端部とを有する縦長状の載置本体部と、前記ペットの頭部が載置される頭部載置部と、前記頭部載置部よりも後方に配置され、前記ペットの左胴部を支持し、前記載置本体部の左部に前後方向に位置調整可能にかつ着脱自在に設けられた左胴部支持部と、前記頭部載置部よりも後方に配置され、前記ペットの右胴部を支持し、前記載置本体部の右部に前後方向に位置調整可能にかつ着脱自在に設けられた右胴部支持部と、を備え、前記左胴部支持部の上端は前記載置本体部の上端よりも上方に位置され、前記右胴部支持部の上端は前記載置本体部の上端よりも上方に位置されている。
【０００７】
本発明に係るペット用姿勢保持台によれば、左胴部支持部および右胴部支持部がそれぞれ載置本体部に対して前後方向に位置調整可能になっているので、ペットの個体差によって胴部の位置が異なる場合でも当該胴部を支持することができる。また、このように左胴部支持部および右胴部支持部が前後方向に位置調整可能であるので、体格や体型の異なったペット毎に、適切な重心バランスを保って安定して当該ペットを保持することができる。例えば、左胴部支持部および右胴部支持部の位置がそれぞれ前方に寄り過ぎていると、ペットの後ろ足と当該左右の胴部支持部との間の間隔が大きくなるため、ペットの臀部が載置本体部からずれ落ちる恐れがあるが、このようなことを防ぐことが可能となる。また、載置本体部にペットの胴部および臀部を載置する際には、当該載置本体部から左胴部支持部および右胴部支持部をそれぞれ取り外した状態にすることができる。このことによって、ペットの足などが左胴部支持部および右胴部支持部に接触することがなく、ペットが嫌がって暴れることが少なくなる。そのため、ペットを容易に保持させることができる。一方、載置本体部にペットの胴部および臀部を載置した後、載置本体部に対して左胴部支持部および右胴部支持部をそれぞれ装着することによって、これらの胴部支持部によってペットの胴部を支持することができる。これにより、ペットが立位の状態で載置本体部上に安定して保持される。したがって、ペットが載置本体部からずれ落ちることが防止される。また、ペットの頭部は頭部載置部に載置される。このように、ペットの胴部および臀部が載置本体部に載置され、ペットの頭部が頭部載置部に載置される構成になっており、ペットの頭部や胴部を覆ったり、ペットの足を孔部に挿通させるような構成ではないので、ペットに拘束感や不安感を与えることを抑えることができる。また、ペットの種々の体格に応じた複数種のサイズを準備しなくてもよい。以上のように、本発明によれば、ペットに対する拘束感や不安感を抑えつつ、種々の体格のペットを容易に保持させることができる。
【０００８】
本発明の好ましい一態様によれば、前記頭部載置部は、前記載置本体部の前端部に着脱自在に設けられている。
【０００９】
上記態様によれば、さらに、頭部載置部が載置本体部に対して着脱自在になっているので、食事等の際には頭部載置部を取り外した状態にすることができる。それにより、ペットは首を自由に動かせるようになるので、楽に飲食を行うことができる。
【００１０】
本発明の好ましい一態様によれば、前記載置本体部の左側面に前後方向に延びる左本体部面ファスナが設けられ、前記載置本体部の右側面に前後方向に延びる右本体部面ファスナが設けられ、前記左胴部支持部の右側面に、前記左本体部面ファスナに係合する左支持部面ファスナが設けられ、前記右胴部支持部の左側面に、前記右本体部面ファスナに係合する右支持部面ファスナが設けられている。
【００１１】
上記態様によれば、左本体部面ファスナおよび右本体部面ファスナがそれぞれ前後方向に延びているので、左胴部支持部および右胴部支持部の前後方向の位置をそれぞれ調整することができる。これにより、ペットの個体差によって胴部の位置が異なる場合でも当該胴部を左胴部支持部および右胴部支持部によって確実に支持することができる。また、面ファスナを採用することで、載置本体部に対して左胴部支持部および右胴部支持部をそれぞれ容易に着脱することができる。
【００１２】
本発明の好ましい他の一態様によれば、前記左胴部支持部と前記右胴部支持部とを連結する連結部をさらに備えている。
【００１３】
上記態様によれば、載置本体部にペットの胴部および臀部が載置された状態で、ペットによって載置本体部から離れる方向に力が加えられた場合でも、連結部によって左胴部支持部と右胴部支持部とが載置本体部に装着された状態を維持することができる。また、左胴部支持部と右胴部支持部との前後方向における位置調整を同時に併せて行うことができる。さらに、左胴部支持部と右胴部支持部と連結部とを一つの集合体とすることで、個々の構成要素を無くし難くなる。
【００１４】
本発明の好ましい他の一態様によれば、前記連結部は、前記載置本体部の上に配置されている。
【００１５】
上記態様によれば、連結部を載置本体部の下に配置するよりも当該連結部を配置し易くなる。これによって、連結部に連結された状態の左胴部支持部および右胴部支持部についてもそれぞれ載置本体部に対して配置し易くなる。
【００１６】
本発明の好ましい他の一態様によれば、前記頭部載置部は、左右方向の長さが前記載置本体部の左右方向の最長長さよりも長い部分を有している。
【００１７】
上記態様によれば、ペットの頭部を載置可能な範囲が大きくなるので、ペットの自由度が増大する。これによって、ペットが拘束感を感じることをより抑制することができる。
【００１８】
本発明の好ましい他の一態様によれば、前記載置本体部の左部に前後方向に位置調整可能にかつ着脱自在に設けられ、少なくとも上下方向に伸縮性を有する袋状の左カバー部と、前記載置本体部の右部に前後方向に位置調整可能にかつ着脱自在に設けられ、少なくとも上下方向に伸縮性を有する袋状の右カバー部と、前記左カバー部と前記右カバー部とを連結するカバー連結部と、をさらに備え、前記左胴部支持部は、前記左カバー部に挿入されることにより前記載置本体部の左部に対して間接的に前記位置調整可能にかつ着脱自在に設けられ、前記右胴部支持部は、前記右カバー部に挿入されることにより前記載置本体部の右部に対して間接的に前記位置調整可能にかつ着脱自在に設けられている。
【００１９】
上記態様によれば、左カバー部から左胴部支持部を取り外し、右カバー部から右胴部支持部を取り外した状態で、載置本体部にペットの胴部および臀部を載置することができる。このことによって、ペットの足などが左胴部支持部および右胴部支持部に接触することがなく、ペットが嫌がって暴れることが少なくなる。そのため、ペットをペット用姿勢保持台に容易に保持させることができる。また、載置本体部にペットの胴部および臀部が載置された状態で、ペットによって載置本体部から離れる方向に左胴部支持部および右胴部支持部にそれぞれ力が加えられた場合でも、カバー連結部によって左胴部支持部と右胴部支持部とが載置本体部から外れることを防ぐことができる。
【００２０】
本発明の好ましい他の一態様によれば、前記頭部載置部の下面に対して着脱自在に設けられる第１スペーサと、前記第１スペーサに対して着脱自在に設けられ、かつ、前記載置本体部の下面に対して着脱自在に設けられる第１部分、前記左胴部支持部の下面に対して着脱自在に設けられる第２部分、および前記右胴部支持部の下面に対して着脱自在に設けられる第３部分を有する第２スペーサと、をさらに備えている。
【００２１】
上記態様によれば、第１スペーサおよび第２スペーサを用いることで、ペットの診察時あるいはリハビリ時などに、ペットの保持位置を変えることができる。また、ペットの体格に応じた保持位置を確保することができる。例えば、体格が比較的大きいペットを保持する場合には、上記スペーサを用いることによって当該ペットの保持姿勢を適切な状態にすることができる。
【００２２】
本発明の好ましい他の一態様によれば、前記第１スペーサの上面および前記第２スペーサの上面には、それぞれ滑り止め加工が施されている。
【００２３】
上記態様によれば、頭部載置部に対して第１スペーサの位置がずれること、および載置本体部に対して第２スペーサの位置がずれることをそれぞれ抑制または防止することができる。
【００２４】
本発明の好ましい他の一態様によれば、前記左胴部支持部は、袋状の左カバー部材と、前記左カバー部材内に充填された高反発材料と、前記高反発材料よりも低い反発性を有し、前記左カバー部材内の前記高反発材料よりも前記載置本体部に近い領域に充填された低反発材料とを備え、前記右胴部支持部は、袋状の右カバー部材と、前記右カバー部材内に充填された高反発材料と、前記高反発材料よりも低い反発性を有し、前記右カバー部材内の前記高反発材料よりも前記載置本体部に近い領域に充填された低反発材料とを備えている。
【００２５】
上記態様によれば、ペットに接触する部分を低反発材料により比較的柔らかくすることができる。これにより、ペットが不快感を覚えることを抑えることができる。また、低反発材料よりも載置本体部から離れた領域に高反発材料を充填することによって、左胴部支持部および右胴部支持部の剛性をそれぞれ高めることができる。
【００２６】
本発明の好ましい他の一態様によれば、前記頭部載置部の上面および前記載置本体部の上面に載置されるクッション材をさらに備えている。
【００２７】
上記態様によれば、頭部載置部とペット頭部との隙間、および載置本体部とペット胴部臀部との隙間をクッション材により少なくすることができる。これによって、ペットの心地良さを向上できることが期待される。
【発明の効果】
【００２８】
本発明によれば、ペットに対する拘束感や不安感を抑えつつ、種々の体格のペットを容易に保持させることが可能なペット用姿勢保持台を提供することができる。
【図面の簡単な説明】
【００２９】
【図１】本発明の第一実施形態に係るペット用姿勢保持台の斜視図である。
【図２】本発明の第一実施形態に係るペット用姿勢保持台の分解斜視図である。
【図３】本発明の第一実施形態に係るペット用姿勢保持台の使用状態の一例を示す斜視図である。
【図４】本発明の第一実施形態に係るペット用姿勢保持台の使用状態の他の例を示す斜視図である。
【図５】本発明の第一実施形態に係る第１スペーサおよび第２スペーサの斜視図である。
【図６】図５の第１スペーサおよび第２スペーサ並びにクッション材を設けたペット用姿勢保持台の斜視図である。
【図７】本発明の第二実施形態に係るペット用姿勢保持台の斜視図である。
【図８】本発明の第二実施形態に係るペット用姿勢保持台の分解斜視図である。
【図９】本発明の第三実施形態に係るペット用姿勢保持台の斜視図である。
【図１０】本発明の第三実施形態に係るペット用姿勢保持台の分解斜視図である。
【発明を実施するための形態】
【００３０】
＜第一実施形態＞
本発明の第一実施形態に係るペット用姿勢保持台１について説明する。以下の説明において、特に断らない限り、図面に付した符号Ｆ、Ｒｅ、Ｌ、Ｒ、Ｕ、Ｄは、それぞれ前、後、左、右、上、下を表している。ただし、これらの方向は説明の便宜上のものに過ぎず、ペット用姿勢保持台１の構造や使用方法等を何ら限定するものではない。
【００３１】
本実施形態に係るペット用姿勢保持台１は、獣医がペットの診察を行ったり、動物リハビリトレーナーがペットのリハビリを支援する際に、ペットが逃げ回ったり暴れたりしないようにペットの姿勢を保持するものであると共に、高齢となったペットの自立または自立歩行を支援するためのものである。ペット用姿勢保持台１が対象とするペットの種類は特に限定されないが、例えば、犬または猫等の四足歩行動物である。以下では、ペットの一例として、犬の姿勢をペット用姿勢保持台１により保持する場合を例に挙げて説明を行う。図１に示すように、本実施形態のペット用姿勢保持台１は、載置本体部２と、頭部載置部３と、左胴部支持部４と、右胴部支持部５とを備えている。これらの載置本体部２、頭部載置部３、左胴部支持部４、および右胴部支持部５は、それぞれ弾性を有する例えばウレタンフォーム等からなる合成樹脂製材を合皮製または布製のカバーで覆ったものである。前記カバーは、例えば汚れや損傷等に応じて取り替えることができる。前記カバーが汚れた場合には、当該カバーを取り外して洗濯することができる。
【００３２】
載置本体部２は、前後方向に延びた縦長形状を有している。載置本体部２は、上下方向に所定の厚みを有している。載置本体部２の前記厚みは、姿勢を保持するペットの例えば足の長さを考慮して設定される。載置本体部２の上には、ペットの胴部および臀部がそれぞれ載置される。載置本体部２は、袋状のカバー部材に充填された高反発材料と当該高反発材料の上方に充填された低反発材料とを含んで構成されている。このような高反発材料により載置本体部２の剛性を確保しつつ、ペットが接触する部分を低反発材料により柔らかくして当該ペットに心地良さを与えることができる。なお、上記高反発材料および低反発材料は、後記の左胴部支持部４および右胴部支持部５に用いられる高反発材料および低反発材料と同じ材料を用いることができる。詳細は後述する。
【００３３】
載置本体部２は、前端部２ｆと、後端部２ｒｅと、前端部２ｆと後端部２ｒｅとを連結する連結部２ｃとを備えている。載置本体部２上にペットの胴部および臀部がそれぞれ載置された状態のとき、当該載置本体部２の前端部２ｆはペットの左前足と右前足との間に配置され、後端部２ｒｅは当該ペットの左後ろ足と右後ろ足との間に配置される。載置本体部２の前端部２ｆは、前方に向かうにつれて左右方向の長さ（以下、単に幅と記載）が大きくなる形状を有している。載置本体部２の後端部２ｒｅは、平面視で例えばほぼ円弧状に形成されている。連結部２ｃは、前後方向に延びた形状を有している。載置本体部２の前端部２ｆは、前上がりに傾斜して形成されている。図２に示すように、載置本体部２の前面２ｆａには、例えば矩形状の前本体部面ファスナＦ１が設けられている。また、載置本体部２の連結部２ｃの左側面２ｌには、例えば矩形状の左本体部面ファスナＦ３が設けられている。連結部２ｃの右側面２ｒにも、例えば矩形状の右本体部面ファスナＦ４が設けられている。左本体部面ファスナＦ３および右本体部面ファスナＦ４は、それぞれ前後方向に延びている。なお、各面ファスナの形状は、上記のような矩形状に特に限定されるものではなく、種々の形状とすることができる。
【００３４】
頭部載置部３は、載置本体部２の前端部２ｆに対して着脱自在に設けられている。頭部載置部３上にはペットの頭部が載置される。図２に示すように、頭部載置部３は、例えば前端に向かうにつれて先細り状に形成されている。すなわち、頭部載置部３の後部は幅が大きくなっており、頭部載置部３の前部は幅が小さくなっている。頭部載置部３の高さは、載置本体部２の最頂部の高さよりも高くなっている。頭部載置部３の後面３ｒｅには、例えば矩形状の面ファスナＦ２が設けられている。頭部載置部３の面ファスナＦ２が載置本体部２の前本体部面ファスナＦ１に係合することによって、頭部載置部３が載置本体部２に装着されるようになっている。
【００３５】
図１に示すように、左胴部支持部４は、頭部載置部３よりも後方に配置されている。左胴部支持部４は、ペットの左前足と左後ろ足との間に配置される。左胴部支持部４は、載置本体部２の左部に前後方向に位置調整可能にかつ着脱自在に設けられている。詳しくは、図２に示すように、左胴部支持部４は、左下支持部４ａと、この左下支持部４ａの上に設けられた左上支持部４ｂとを備えている。左下支持部４ａの左側面は、下方に向かうにつれて左方に傾斜する傾斜面となっている。左上支持部４ｂの左側面は鉛直面となっている。また、左下支持部４ａの右側面は鉛直面となっている。左上支持部４ｂの右側面は、上方に向かうにつれて左方に傾斜する傾斜面となっている。このように、左下支持部４ａの左側面を上記傾斜面とすることによって、左胴部支持部４に対して外側に向かう力が加わった場合に当該左胴部支持部４が変形し難く、載置本体部２から外れ難いという効果が奏される。左下支持部４ａと左上支持部４ｂとは一体的に形成されている。本実施形態では、左胴部支持部４は、袋状の左カバー部材４ｃに充填された高反発材料Ｍ１と低反発材料Ｍ２とを含んで構成されている。この低反発材料Ｍ２は、高反発材料Ｍ１よりも低い反発性を有し、左カバー部材４ｃ内の高反発材料Ｍ１よりも載置本体部２に近い領域に充填されている。なお、低反発材料Ｍ２としては、例えば低反発ウレタンフォームや低反発ジェル等の低反発素材またはビーズ材等を用いることができる。また、高反発材料Ｍ１としては、低反発材料Ｍ２よりも高反発性を有するものであれば特に限定されないが、例えば高反発ウレタンフォーム等を用いることができる。
【００３６】
左胴部支持部４の左下支持部４ａの右側面４ｒには、載置本体部２の左本体部面ファスナＦ３に係合する左支持部面ファスナＦ５が設けられている。左支持部面ファスナＦ５が載置本体部２の左本体部面ファスナＦ３に係合することによって、左胴部支持部４が載置本体部２に装着されるようになっている。左胴部支持部４の高さは、載置本体部２の厚みよりも大きくなっている。左胴部支持部４の上端は、載置本体部２の上端よりも上方に配置されている。左胴部支持部４は、ペットの左胴部を支持する。左胴部支持部４は、載置本体部２上にペットの胴部および臀部が載置された後に、当該載置本体部２に装着される。
【００３７】
同様に、右胴部支持部５は、頭部載置部３よりも後方に配置されている。右胴部支持部５は、ペットの右前足と右後ろ足との間に配置される。右胴部支持部５は、載置本体部２の右部に前後方向に位置調整可能にかつ着脱自在に設けられている。詳しくは、図２に示すように、右胴部支持部５は、右下支持部５ａと、この右下支持部５ａの上に設けられた右上支持部５ｂとを備えている。右下支持部５ａの右側面は、下方に向かうにつれて右方に傾斜する傾斜面となっている。右上支持部５ｂの右側面は鉛直面となっている。また、右下支持部５ａの左側面は鉛直面となっている。右上支持部５ｂの左側面は、上方に向かうにつれて右方に傾斜する傾斜面となっている。このように、右下支持部５ａの右側面を上記傾斜面とすることによって、右胴部支持部５に対して外側に向かう力が加わった場合に当該右胴部支持部５が変形し難く、載置本体部２から外れ難いという効果が奏される。右下支持部５ａと右上支持部５ｂとは一体的に形成されている。本実施形態では、右胴部支持部５は、袋状の右カバー部材５ｃに充填された高反発材料Ｍ１と低反発材料Ｍ２とを含んで構成されている。この低反発材料Ｍ２は、高反発材料Ｍ１よりも低い反発性を有し、右カバー部材５ｃ内の高反発材料Ｍ１よりも載置本体部２に近い領域に充填されている。なお、高反発材料Ｍ１および低反発材料Ｍ２の例としては上記と同様である。
【００３８】
右胴部支持部５の右下支持部５ａの左側面５ｌには、載置本体部２の右本体部面ファスナＦ４に係合する右支持部面ファスナＦ６が設けられている。右支持部面ファスナＦ６が載置本体部２の右本体部面ファスナＦ４に係合することによって、右胴部支持部５が載置本体部２に装着されるようになっている。右胴部支持部５の高さは、載置本体部２の厚みよりも大きくなっている。右胴部支持部５の上端は、載置本体部２の上端よりも上方に配置されている。右胴部支持部５は、ペットの右胴部を支持する。右胴部支持部５は、載置本体部２上にペットの胴部および臀部が載置された後に、当該載置本体部２に装着される。
【００３９】
図３に示すように、ペット用姿勢保持台１によってペットの姿勢を保持する際には、載置本体部２上に当該ペットの胴部および臀部がそれぞれ載置される。頭部載置部３上にペットの頭部が載置される。また、左胴部支持部４によりペットの左胴部が支持される。さらに、右胴部支持部５によりペットの右胴部が支持される。この場合、ペットは、載置本体部２を跨いだ状態となる。すなわち、ペットの左前足は、載置本体部２の前部の左方かつ左胴部支持部４の前方に配置される。ペットの右前足は、載置本体部２の前部の右方かつ右胴部支持部５の前方に配置される。ペットの左後ろ足は、載置本体部２の後部の左方かつ左胴部支持部４の後方に配置される。ペットの右後ろ足は、載置本体部２の後部の右方かつ右胴部支持部５の後方に配置される。ペットの各足はそれぞれ地に着いていてもよいし、着いていなくてもよい。例えば、ペットの診察時等においては、当該ペットの各足が地に着かないように載置本体部２の高さが設定されるが、ペットのリハビリ時においては、当該ペットの各足が地に着くように載置本体部２の高さが設定されてもよい。この場合、ペットの胴部および臀部が載置本体部２から浮いた状態となるが、上述のように載置本体部２の前端部２ｆが前上がりに傾斜して形成されているので、ペットの胸部が載置本体部２の前端部２ｆに支えられている。これにより、リハビリ時においてもペットを安定して保持することができる。ここで、上述したように、頭部載置部３は、当該頭部載置部３の後部の幅が大きくなるよう形成されているので、ペットは、その頭部を載置しながら当該頭部の位置を幅広く変えることができる。これによって、ペットは、楽な姿勢で視線を周囲に向けることができ、様々な刺激を受けることができる。例えば、食べ物がペットの視界に入り易くなるなどの効果が奏され、それによりペットが生きるための活力を持ち易くなることが期待される。
【００４０】
また、図４に示すように、載置本体部２から頭部載置部３（図３参照）を取り外し、当該載置本体部２の前方に食事台５０を配置することができる。このことによって、ペットは、頭部を上下に動かし易くなり、食事を摂り易くなる。
【００４１】
次に、ペットの大きさの個体差、特にペットの足の長さの個体差に応じて、次のようなスペーサを設けてもよい。図６に示すように、ペット用姿勢保持台１は、第１スペーサ１０と、当該第１スペーサ１０に対して着脱自在に設けられた第２スペーサ１１とを備えてもよい。第２スペーサ１１を第１スペーサ１０に対して着脱自在とすることによって、上述のようにペットの食事の際には、第２スペーサ１１のみを使用し、第１スペーサ１０を第２スペーサ１１から取り外すことができる。第１スペーサ１０は、頭部載置部３の下面に対して着脱自在に設けられている。第１スペーサ１０は、平面視において頭部載置部３とほぼ同じ形状を有している。図５に示すように、第１スペーサ１０の上面には、滑り止め加工１０ｓが施されている。この滑り止め加工１０ｓとしては、例えばウレタンコーティング等が挙げられる。第１スペーサ１０の滑り止め加工１０ｓ上には、複数の面ファスナＦＳが設けられている。第１スペーサ１０の面ファスナＦＳは、頭部載置部３（図６参照）の下面に設けられた図示しない面ファスナと係合する。これにより、第１スペーサ１０が頭部載置部３に装着される。第１スペーサ１０の厚みは、適宜設定することが可能である。ペットの個体差に対する対応の幅を広げるために、異なった厚みを有した複数の第１スペーサ１０を用意するようにしてもよい。
【００４２】
図５に示すように、第２スペーサ１１は、第１部分１１ａと、第２部分１１ｂと、第３部分１１ｃとを備えている。第２スペーサ１１の第１部分１１ａの上、第２部分１１ｂの上、および第３部分１１ｃの上には、上述の滑り止め加工１０ｓと同様の滑り止め加工１１ｓが施されている。第２スペーサ１１の第１部分１１ａは、載置本体部２（図６参照）の下面に対して着脱自在に設けられている。第１部分１１ａは、平面視において載置本体部２とほぼ同じ形状を有している。第１部分１１ａの滑り止め加工１１ｓ上には、複数の面ファスナＦＳが設けられている。第１部分１１ａの面ファスナＦＳは、載置本体部２の下面に設けられた図示しない面ファスナと係合する。これにより、第２スペーサ１１の第１部分１１ａが載置本体部２に装着される。また、第２スペーサ１１の第２部分１１ｂは、左胴部支持部４（図６参照）の下面に対して着脱自在に設けられている。第２部分１１ｂは、平面視において左胴部支持部４の下面とほぼ同じ形状を有している。第２部分１１ｂの滑り止め加工１１ｓ上には、面ファスナＦＳが設けられている。第２部分１１ｂの面ファスナＦＳは、左胴部支持部４の下面に設けられた図示しない面ファスナと係合する。これにより、第２スペーサ１１の第２部分１１ｂが左胴部支持部４に装着される。さらに、第２スペーサ１１の第３部分１１ｃは、右胴部支持部５（図６参照）の下面に対して着脱自在に設けられている。第３部分１１ｃは、平面視において右胴部支持部５の下面とほぼ同じ形状を有している。第３部分１１ｃの滑り止め加工１１ｓ上には、面ファスナＦＳが設けられている。第３部分１１ｃの面ファスナＦＳは、右胴部支持部５の下面に設けられた図示しない面ファスナと係合する。これにより、第２スペーサ１１の第３部分１１ｃが右胴部支持部５に装着される。第２スペーサ１１の厚みは、適宜設定することが可能である。ペットの個体差に対する対応の幅を広げるために、異なった厚みを有した複数の第２スペーサ１１を用意するようにしてもよい。
【００４３】
ここで、図６に示すように、載置本体部２の上面および頭部載置部３の上面に亘り、クッション材１２を載置してもよい。このクッション材１２の上方からペットが載置されるようになっている。クッション材１２は、袋状のカバー部材の中に例えば低反発ウレタンフォームやビーズ材等が充填されて構成されているものである。クッション材１２は、前後方向に延びて形成されている。クッション材１２は、前端部１２ｆと、後端部１２ｒｅと、前端部１２ｆと後端部１２ｒｅとを連結し、前後方向に線状に延びる連結部１２ｃとを備えている。クッション材１２の前端部１２ｆは、後端部１２ｒｅよりも大きく形成されている。
【００４４】
以上のように、本実施形態のペット用姿勢保持台１によれば、左胴部支持部４および右胴部支持部５がそれぞれ載置本体部２に対して前後方向に位置調整可能になっているので、ペットの個体差によって胴部の位置が異なる場合でも当該胴部を支持することができる。また、載置本体部２にペットの胴部および臀部を載置する際には、当該載置本体部２から左胴部支持部４および右胴部支持部５をそれぞれ取り外した状態にすることができる。このことによって、ペットの足などが左胴部支持部４および右胴部支持部５に接触することがなく、ペットが嫌がって暴れることが少なくなる。そのため、ペットを容易に保持させることができる。一方、載置本体部２にペットの胴部および臀部を載置した後、載置本体部２に対して左胴部支持部４および右胴部支持部５をそれぞれ装着することによって、これらの胴部支持部によってペットの胴部を支持することができる。これにより、ペットが立位の状態で載置本体部２上に安定して保持される。したがって、ペットが載置本体部２からずれ落ちることが防止される。また、ペットの頭部は頭部載置部３に載置される。このように、ペットの胴部および臀部が載置本体部２に載置され、ペットの頭部が頭部載置部３に載置される構成になっており、ペットの頭部や胴部を覆ったり、ペットの足を孔部に挿通させるような構成ではないので、ペットに拘束感や不安感を与えることを抑えることができる。また、ペットの種々の体格に応じた複数種のサイズを準備しなくてもよい。さらに、頭部載置部３が載置本体部２に対して着脱自在になっているので、食事等の際には頭部載置部３を取り外した状態にすることができる。それにより、ペットは首を自由に動かせるようになるので、楽に飲食を行うことができる。以上のように、本実施形態のペット用姿勢保持台１によれば、ペットに対する拘束感や不安感を抑えつつ、種々の体格のペットを容易に保持させることができる。
【００４５】
また、本実施形態によれば、左本体部面ファスナＦ３および右本体部面ファスナＦ４がそれぞれ前後方向に延びているので、左胴部支持部４および右胴部支持部５の載置本体部２に対する前後方向の位置をそれぞれ調整することができる。これにより、ペットの個体差によって胴部の位置が異なる場合でも当該胴部を左胴部支持部４および右胴部支持部５によって確実に支持することができる。また、面ファスナを採用することによって、載置本体部２に対して左胴部支持部４および右胴部支持部５をそれぞれ容易に着脱することができる。
【００４６】
また、本実施形態によれば、頭部載置部３は、左右方向の長さが載置本体部２の左右方向の最長長さよりも長い部分を有している。これにより、ペットの頭部を載置可能な範囲が大きくなるので、ペットの自由度が増大する。これによって、ペットが拘束感を感じることをより抑制することができる。
【００４７】
また、本実施形態によれば、第１スペーサ１０および第２スペーサ１１を用いることで、ペットの診察時あるいはリハビリ時などに、ペットの保持位置（つまり保持高さ）を変えることができる。また、ペットの体格に応じた保持位置を確保することができる。例えば、体格が比較的大きいペットを保持する場合には、第１スペーサ１０および第２スペーサ１１を用いることによって、当該ペットの保持姿勢を適切な状態にすることができる。
【００４８】
また、本実施形態によれば、第１スペーサ１０の上面および第２スペーサ１１の上面に、それぞれ滑り止め加工１０ｓおよび滑り止め加工１１ｓが施されるように構成した。これによって、頭部載置部３に対して第１スペーサ１０の位置がずれること、および載置本体部２に対して第２スペーサ１１の位置がずれることをそれぞれ抑制または防止することができる。
【００４９】
また、本実施形態によれば、左胴部支持部４の左カバー部材４ｃ内において、低反発材料Ｍ２を高反発材料Ｍ１よりも載置本体部２に近い領域に充填し、右胴部支持部５の右カバー部材５ｃ内において、低反発材料Ｍ２を高反発材料Ｍ１よりも載置本体部２に近い領域に充填するようにした。これによって、ペットに接触する部分を低反発材料Ｍ２により比較的柔らかくすることができる。これにより、ペットが不快感を覚えることを抑えることができる。また、低反発材料Ｍ２よりも載置本体部２から離れた領域に高反発材料Ｍ１を充填することによって、左胴部支持部４および右胴部支持部５の剛性をそれぞれ高めることができる。
【００５０】
また、本実施形態によれば、頭部載置部３の上面および載置本体部２の上面に載置されるクッション材１２をさらに備えている。これにより、頭部載置部３とペット頭部との隙間、および載置本体部２とペット胴部臀部との隙間をクッション材１２により少なくすることができる。これによって、ペットの心地良さを向上できることが期待される。
【００５１】
＜第二実施形態＞
続いて、本発明の第二実施形態に係るペット用姿勢保持台１ａについて説明する。図７および図８に示すように、第二実施形態のペット用姿勢保持台１ａの構成が第一実施形態のペット用姿勢保持台１の構成と異なる点は、連結部１５を備える点である。ペット用姿勢保持台１ａの他の構成は、ペット用姿勢保持台１の構成と同じであるため、説明を省略する。
【００５２】
図７および図８に示すように、連結部１５は、左胴部支持部４と右胴部支持部５とを連結するものである。連結部１５は例えば布製である。連結部１５は、平面視で例えば矩形状に形成されている。連結部１５は、薄板状に形成されている。連結部１５の左端は、左胴部支持部４において載置本体部２の上面とほぼ同じ高さの位置に縫い付けられている。連結部１５の右端は、右胴部支持部５において載置本体部２の上面とほぼ同じ高さの位置に縫い付けられている。左胴部支持部４と右胴部支持部５とを載置本体部２に装着する際には、図７に示すように、連結部１５の下面が載置本体部２の上面に接触するようになっている。
【００５３】
以上のように、本実施形態のペット用姿勢保持台１ａによれば、載置本体部２にペットの胴部および臀部が載置された状態で、ペットによって載置本体部２から離れる方向に力が加えられた場合でも、連結部１５によって左胴部支持部４と右胴部支持部５とが載置本体部２に装着された状態を維持することができる。また、左胴部支持部４と右胴部支持部５との前後方向における位置調整を同時に併せて行うことができる。さらに、左胴部支持部４と右胴部支持部５と連結部１５とを一つの集合体とすることで、個々の構成要素を無くし難くなる。また、連結部１５を載置本体部２の下に配置するよりも当該連結部１５を配置し易くなる。これによって、連結部１５に連結された状態の左胴部支持部４および右胴部支持部５についてもそれぞれ載置本体部２に配置し易くなる。
【００５４】
＜第三実施形態＞
次いで、本発明の第三実施形態に係るペット用姿勢保持台１ｂについて説明する。図９および図１０に示すように、第三実施形態のペット用姿勢保持台１ｂの構成が第一実施形態のペット用姿勢保持台１の構成と異なる点は、左カバー部２０と、右カバー部２１と、カバー連結部２２とを備えている点、および左支持部面ファスナＦ５および右支持部面ファスナＦ６の代わりに面ファスナＦ７，Ｆ８を備えている点である。ペット用姿勢保持台１ｂの他の構成は、ペット用姿勢保持台１の構成と同じであるため、説明を省略する。
【００５５】
図１０に示すように、左カバー部２０は、伸縮性を有し開口２０ａを有する袋状に形成されている。開口２０ａは左カバー部２０の下端に設けられている。左カバー部２０は、例えば柔らかめの合皮や布等により形成することができる。左カバー部２０の右部には面ファスナＦ７が設けられている。左カバー部２０の面ファスナＦ７は、載置本体部２の左本体部面ファスナＦ３に係合する。これにより、左カバー部２０が載置本体部２に対して着脱自在になっている。また、第一実施形態で説明したように、左本体部面ファスナＦ３が前後方向に延びているので、左カバー部２０を載置本体部２に対して前後方向に位置調整可能となっている。このような構成において、開口２０ａを介して左胴部支持部４を左カバー部２０内に挿入することにより、当該左胴部支持部４を載置本体部２に対して間接的に位置調整可能にかつ着脱自在とすることができる。なお、左カバー部２０内に左胴部支持部４が挿入されていないときには、図１０に示すように、当該左カバー部２０は垂下した状態となっている。
【００５６】
同様に、右カバー部２１は、伸縮性を有し開口２１ａを有する袋状に形成されている。開口２１ａは右カバー部２１の下端に設けられている。右カバー部２１は、左カバー部２０と同じ材料により形成することができる。右カバー部２１の左部には面ファスナＦ８が設けられている。右カバー部２１の面ファスナＦ８は、載置本体部２の右本体部面ファスナＦ４に係合する。これにより、右カバー部２１が載置本体部２に対して着脱自在になっている。また、第一実施形態で説明したように、右本体部面ファスナＦ４が前後方向に延びているので、右カバー部２１を載置本体部２に対して前後方向に位置調整可能となっている。このような構成において、開口２１ａを介して右胴部支持部５を右カバー部２１内に挿入することにより、当該右胴部支持部５を載置本体部２に対して間接的に位置調整可能にかつ着脱自在とすることができる。なお、右カバー部２１内に右胴部支持部５が挿入されていないときには、図１０に示すように、当該右カバー部２１は垂下した状態となっている。
【００５７】
以上のように、本実施形態のペット用姿勢保持台１ｂによれば、左カバー部２０から左胴部支持部４を取り外し、右カバー部２１から右胴部支持部５を取り外した状態で、載置本体部２にペットの胴部および臀部を載置することができる。このことによって、ペットの足などが左胴部支持部４および右胴部支持部５に接触することがなく、ペットが嫌がって暴れることが少なくなる。そのため、ペットをペット用姿勢保持台１ｂに容易に保持させることができる。また、載置本体部２にペットの胴部および臀部が載置された状態で、ペットによって載置本体部２から離れる方向に左胴部支持部４および右胴部支持部５にそれぞれ力が加えられた場合でも、カバー連結部２２によって左胴部支持部４と右胴部支持部５とが載置本体部２から外れることを防ぐことができる。
【００５８】
以上、本発明の実施形態に係るペット用姿勢保持台１，１ａ，１ｂについて説明したが、さらに次のような変形例を適用してもよい。
【００５９】
上記実施形態では、面ファスナによって載置本体部２に対して左胴部支持部４および右胴部支持部５をそれぞれ前後方向に位置調整可能にかつ着脱自在に構成するようにしたが、これに限定されるものではない。左胴部支持部４および右胴部支持部５を載置本体部２に対してそれぞれ前後方向に位置調整可能にかつ着脱自在に構成できるのであれば、面ファスナに限らず、例えばスナップボタン等の他の手段を用いてもよい。
【００６０】
また、上記実施形態では、左胴部支持部４と右胴部支持部５とを載置本体部２に装着する際に、連結部１５の下面が載置本体部２の上面に接触するように連結部１５を配置するようにしたが、これに限定されるものではない。連結部１５の上面が載置本体部２の下面に接触するように連結部１５を配置してもよい。この場合、連結部１５の左端を左胴部支持部４の下部に縫い付け、当該連結部１５の右端を右胴部支持部５の下部に縫い付けるようにしてもよい。
【００６１】
また、上記実施形態では、ペット用姿勢保持台１の高さを調整する手段として、着脱自在の第１スペーサ１０および第２スペーサ１１を設けるようにしたが、これに限定されるものではない。これらの第１スペーサ１０および第２スペーサ１１を用いる代わりに、例えば電動または手動のジャッキ等を用いて、ペット用姿勢保持台１の高さを調整するようにしてもよい。
【００６２】
また、上記実施形態では、載置本体部２を袋状のカバー部材に充填された高反発材料と当該高反発材料の上方に充填された低反発材料とを含んで構成するようにしたが、頭部載置部３についても載置本体部２と同じように構成してもよい。
【００６３】
また、上記実施形態では、載置本体部２上にペットの胴部および臀部が載置された後に、左胴部支持部４と右胴部支持部５とを載置本体部２にそれぞれ装着するようにしたが、これに限定されるものではない。ペットが嫌がったり暴れたりしないような場合には、載置本体部２上にペットの胴部および臀部が載置される前に、左胴部支持部４と右胴部支持部５とを載置本体部２にそれぞれ装着するようにしてもよい。
【００６４】
さらに、上記実施形態では、頭部載置部３を前端に向かうにつれて先細り状に形成することとしたが、これに限らず、例えば平面視で正方形や矩形形状等の他の形状に形成するようにしてもよい。
【符号の説明】
【００６５】
１    ペット用姿勢保持台
１ａ  ペット用姿勢保持台
１ｂ  ペット用姿勢保持台
２    載置本体部
２ｆ  載置本体部の前端部
２ｒｅ  載置本体部の後端部
３    頭部載置部
４    左胴部支持部
４ｃ  左カバー部材
５    右胴部支持部
５ｃ  右カバー部材
１０  第１スペーサ
１０ｓ  滑り止め加工
１１  第２スペーサ
１１ａ  第２スペーサの第１部分
１１ｂ  第２スペーサの第２部分
１１ｃ  第２スペーサの第３部分
１１ｓ  滑り止め加工
１２  クッション材
１５  連結部
２０  左カバー部
２１  右カバー部
２２  カバー連結部
Ｆ３  左本体部面ファスナ
Ｆ４  右本体部面ファスナ
Ｆ５  左支持部面ファスナ
Ｆ６  右支持部面ファスナ
Ｍ１  高反発材料
Ｍ２  低反発材料
【図１】
0006491991.tif 000002
【図２】
0006491991.tif 000003
【図３】
0006491991.tif 000004
【図４】
0006491991.tif 000005
【図５】
0006491991.tif 000006
【図６】
0006491991.tif 000007
【図７】
0006491991.tif 000008
【図８】
0006491991.tif 000009
【図９】
0006491991.tif 000010
【図１０】
0006491991.tif 000011